(57)【要約】【課題】多種多様な形態で壁面パネルを簡単に取り付けることができるパネル取付治具を提供する。【解決手段】本発明は、屋内壁面Ｗに沿って並べて配置される複数の壁面パネル１を屋内壁面Ｗに固定するためのパネル取付治具５を対象とする。両側縁部が、隣り合う壁面パネル１，１の対向縁部２，３にそれぞれ対応して配置された状態で屋内壁面Ｗに固定される治具本体６を備える。治具本体６の両側縁部に、隣り合う壁面パネル１，１，の対向縁部２，３をそれぞれ支持する前位置支持片７２および後位置支持片６３が設けられ、前位置支持片７２が、後位置支持片６３に対し、壁面Ｗからの離間距離が長く設定されて前方に配置されている。【選択図】図３
2014122501.tif 000002
【特許請求の範囲】
【請求項１】
屋内壁面に沿って並べて配置される複数の壁面パネルを屋内壁面に固定するためのパネル取付治具であって、
両側縁部が、隣り合う壁面パネルの対向縁部にそれぞれ対応して配置された状態で屋内壁面に固定される治具本体を備え、
前記治具本体の一方の側縁部に前位置支持片が設けられるとともに、残り一方の側縁部に後位置支持片が設けられ、
前記前位置支持片および前記後位置支持片によって、隣り合う壁面パネルの対向縁部を支持可能に構成され、
前記前位置支持片が、前記後位置支持片に対し、壁面からの離間距離が長く設定されて前方に配置されていることを特徴とするパネル取付治具。
【請求項２】
前記治具本体の前面に着脱自在にアダプタが取り付けられ、
前記アダプタに前記前位置支持片が形成されるとともに、前記治具本体に前記後位置支持片が形成されている請求項１に記載のパネル取付治具。
【請求項３】
前記治具本体の両側縁部に前記後位置支持片がそれぞれ形成され、
前記アダプタを前記治具本体に対し、前記前位置支持片を前記治具本体の一側縁部に対応させて取り付ける第１の取付形態と、前記前位置支持片を前記治具本体の他側縁部に対応させて取り付ける第２の取付形態とのいずれの取付形態にも取付可能となっている請求項２に記載のパネル取付治具。
【請求項４】
１つの前記治具本体に対し２つの前記アダプタが取り付けられ、
前記２つのアダプタが、前記パネル配列方向に対し直交するパネル継ぎ合わせ方向に並んで配置されている請求項２または３に記載のパネル取付治具。
【請求項５】
前記治具本体の両側縁部にそれぞれ前記後位置支持片が形成され、
前記治具本体が、前記後位置支持片のうち、一方の後位置支持片を含む第１分割体と、他方の後位置支持片を含む第２分割体とに分割可能となっている請求項２〜４のいずれか１項に記載のパネル取付治具。
【請求項６】
請求項１〜５のいずれか１項に記載のパネル取付治具を用いて、屋内壁面に沿って複数の壁面パネルを並べて配置した状態に取り付けるようにした壁面パネルの取付構造であって、
前記壁面パネルが、その一側縁部が前記パネル取付治具の前位置支持片によって支持されるとともに、他側縁部が前記パネル取付治具の後位置支持片によって支持されて、当該壁面パネルがその一側縁部が他側縁部よりも屋内壁面から離間距離が長くなるように屋内壁面に対し傾斜した状態に取り付けられていることを特徴とする壁面パネルの取付構造。
【請求項７】
請求項１〜５のいずれか１項に記載のパネル取付治具を用いて、屋内壁面に沿って複数の壁面パネルを並べて配置した状態に取り付けるようにした壁面パネルの取付構造であって、
前記複数の壁面パネルのうちいずれかの壁面パネルが、その両側縁部が前記パネル取付治具の前位置支持片によってそれぞれ支持されるとともに、
前記いずれかの壁面パネルに対し隣り合う他の壁面パネルが、その両側縁部が前記パネル取付治具の後位置支持片によってそれぞれ支持されることにより、
前記いずれかの壁面パネルが前記他の壁面パネルに対し前方に浮き上がった状態に取り付けられていることを特徴とする壁面パネルの取付構造。
【請求項８】
請求項３または５に記載のパネル取付治具を用いて、屋内壁面に沿って複数の壁面パネルを並べて配置した状態に取り付けるようにした壁面パネルの取付構造であって、
全ての壁面パネルの両側縁部が、前記アダプタが取り除かれた前記治具本体の後位置支持片にそれぞれ支持されることにより、
前記複数の壁面パネルが同一平面上に配置された状態に取り付けられていることを特徴とする壁面パネルの取付構造。
【発明の詳細な説明】
【技術分野】
【０００１】
この発明は、例えば一般家屋の屋内壁面に木質パネル等の壁面パネルを取り付けるためのパネル取付治具およびその治具を用いた壁面パネルの取付構造に関する。
【背景技術】
【０００２】
一般家屋の室内の壁面に、複数の木質パネルを並べて施工して、パネル壁を組み立てるようにした木質パネルの取付構造が周知である。このパネル取付構造においては、室内壁面の前面側に前方に張り出すようにパネル壁が形成されるため、優れた意匠性を得ることができる。さらに木質パネルをなす木材自体が保有する湿度調整機能（調湿機能）によって、快適な居住空間を得ることができる。
【０００３】
このようなパネル取付構造において、例えば特許文献１に示すものは、室内の壁面から離間させた状態で、複数の木質パネルを施工するようにしている。
【０００４】
また特許文献２に示すパネル取付構造では、木質パネルを、室内壁面から大きく離間した形態と、少しだけ離間した形態とのいずれの形態でも取り付けることができるようにしている。
【先行技術文献】
【特許文献】
【０００５】
【特許文献１】特開２０１１−６８６８号公報
【特許文献２】特開２０１０−５３５４７号公報
【発明の概要】
【発明が解決しようとする課題】
【０００６】
上記特許文献１，２に示すように、近年における木質パネルの取付構造においては、木質パネルを室内壁面に直付けするだけではなく、木質パネルを室内壁面から大きく離間させて取り付けたり、少しだけ離間させて取り付けたり、あるいは、大きく離間させて取り付けた木質パネルと、少しだけ離間させた木質パネルとを混在させたりするようにしている。このように近年の木質パネルの取付構造においては、多種多様な形態で木質パネルを取り付けるものであるため、従来より、あらゆる形態で木質パネルを簡単に取り付けることができる技術の開発が望まれている。
【０００７】
この発明は、上記の課題に鑑みてなされたものであり、木質パネル等の壁面パネルを多種多様な形態で屋内壁面に簡単に取り付けることができるパネル取付治具およびその関連技術を提供することを目的とする。
【課題を解決するための手段】
【０００８】
上記課題を解決するため、本発明は、以下の手段を備えるものである。
【０００９】
［１］屋内壁面に沿って並べて配置される複数の壁面パネルを屋内壁面に固定するためのパネル取付治具であって、
両側縁部が、隣り合う壁面パネルの対向縁部にそれぞれ対応して配置された状態で屋内壁面に固定される治具本体を備え、
前記治具本体の一方の側縁部に前位置支持片が設けられるとともに、残り一方の側縁部に後位置支持片が設けられ、
前記前位置支持片および前記後位置支持片によって、隣り合う壁面パネルの対向縁部を支持可能に構成され、
前記前位置支持片が、前記後位置支持片に対し、壁面からの離間距離が長く設定されて前方に配置されていることを特徴とするパネル取付治具。
【００１０】
［２］前記治具本体の前面に着脱自在にアダプタが取り付けられ、
前記アダプタに前記前位置支持片が形成されるとともに、前記治具本体に前記後位置支持片が形成されている前項１に記載のパネル取付治具。
【００１１】
［３］前記治具本体の両側縁部に前記後位置支持片がそれぞれ形成され、
前記アダプタを前記治具本体に対し、前記前位置支持片を前記治具本体の一側縁部に対応させて取り付ける第１の取付形態と、前記前位置支持片を前記治具本体の他側縁部に対応させて取り付ける第２の取付形態とのいずれの取付形態にも取付可能となっている前項２に記載のパネル取付治具。
【００１２】
［４］１つの前記治具本体に対し２つの前記アダプタが取り付けられ、
前記２つのアダプタが、前記パネル配列方向に対し直交するパネル継ぎ合わせ方向に並んで配置されている前項２または３に記載のパネル取付治具。
【００１３】
［５］前記治具本体の両側縁部にそれぞれ前記後位置支持片が形成され、
前記治具本体が、前記後位置支持片のうち、一方の後位置支持片を含む第１分割体と、他方の後位置支持片を含む第２分割体とに分割可能となっている前項２〜４のいずれか１項に記載のパネル取付治具。
【００１４】
［６］前項１〜５のいずれか１項に記載のパネル取付治具を用いて、屋内壁面に沿って複数の壁面パネルを並べて配置した状態に取り付けるようにした壁面パネルの取付構造であって、
前記壁面パネルが、その一側縁部が前記パネル取付治具の前位置支持片によって支持されるとともに、他側縁部が前記パネル取付治具の後位置支持片によって支持されて、当該壁面パネルがその一側縁部が他側縁部よりも屋内壁面から離間距離が長くなるように屋内壁面に対し傾斜した状態に取り付けられていることを特徴とする壁面パネルの取付構造。
【００１５】
［７］前項１〜５のいずれか１項に記載のパネル取付治具を用いて、屋内壁面に沿って複数の壁面パネルを並べて配置した状態に取り付けるようにした壁面パネルの取付構造であって、
前記複数の壁面パネルのうちいずれかの壁面パネルが、その両側縁部が前記パネル取付治具の前位置支持片によってそれぞれ支持されるとともに、
前記いずれかの壁面パネルに対し隣り合う他の壁面パネルが、その両側縁部が前記パネル取付治具の後位置支持片によってそれぞれ支持されることにより、
前記いずれかの壁面パネルが前記他の壁面パネルに対し前方に浮き上がった状態に取り付けられていることを特徴とする壁面パネルの取付構造。
【００１６】
［８］前項３または５に記載のパネル取付治具を用いて、屋内壁面に沿って複数の壁面パネルを並べて配置した状態に取り付けるようにした壁面パネルの取付構造であって、
全ての壁面パネルの両側縁部が、前記アダプタが取り除かれた前記治具本体の後位置支持片にそれぞれ支持されることにより、
前記複数の壁面パネルが同一平面上に配置された状態に取り付けられていることを特徴とする壁面パネルの取付構造。
【発明の効果】
【００１７】
発明［１］［２］のパネル取付治具によれば、壁面パネルをその両側縁部の一方のみを屋内壁面から浮き上がらせて取り付けたり、パネル全体を屋内壁面から浮き上がらせて取り付けることができ、多種多様な形態で壁面パネルを簡単に取り付けることができる。
【００１８】
発明［３］のパネル取付治具によれば、アダプタを取り付けずに治具本体だけを用いて、壁面パネルをフラットな形態に取り付けることができるため、フラット貼り専用の治具を別途準備する必要がなくなり、その分、部品点数を削減できてコストを削減することができる。
【００１９】
発明［４］のパネル取付治具によれば、パネル配列方向に対し直交するパネル継ぎ合わせ方向に壁面パネルを並べて施工する場合にも、確実に壁面パネルを取り付けることができる。
【００２０】
発明［５］のパネル取付治具によれば、端部の壁面パネルを支持する場合等において、パネル取付に関与しない不要な部位を取り除くことができ、より一層美観を向上させることができる。
【００２１】
発明［６］の壁面パネルの取付構造によれば、壁面パネルを屋内壁面に対し傾斜させて配置した下見貼りやその逆の形態のパネル壁構造を形成することができる。
【００２２】
発明［７］の壁面パネルの取付構造によれば、いずれかの壁面パネルを前方に浮き上がらせるように配置した凹凸貼りの形態のパネル壁構造を形成することができる。
【００２３】
発明［８］の壁面パネルの取付構造によれば、全ての壁面パネルを同一平面上に配置したフラット貼りの形態のパネル壁構造を形成することができる。
【図面の簡単な説明】
【００２４】
【図１】図１はこの発明の実施形態であるパネル取付治具を用いて施工されたパネル壁構造を示す正面図である。
【図２】図２は実施形態のパネル壁構造を示す側面断面図である。
【図３】図３は図２のパネル取付治具周辺を拡大して示す側面断面図である。
【図４】図４は実施形態に適用された木質パネルを示す図であって、図（ａ）は正面図、図（ｂ）は側面図、図（ｃ）は下面図である。
【図５Ａ】図５Ａは実施形態に木質パネルの下側縁部を示す側面図である。
【図５Ｂ】図５Ｂは実施形態に木質パネルの上側縁部を示す側面図である。
【図６】図６は実施形態に適用されたパネル取付治具を示す斜視図である。
【図７】図７は実施形態のパネル取付治具を分解して示す斜視図である。
【図８】図８は実施形態のパネル取付治具を示す図であって、図（ａ）は正面図、図（ｂ）は側面断面図である。
【図９】図９は実施形態のパネル取付治具における治具本体を示す図であって、図（ａ）は正面図、図（ｂ）は側面断面図である。
【図１０】図１０は実施形態のパネル取付治具におけるアダプタを示す図であって、図（ａ）は正面図、図（ｂ）は側面断面図である。
【図１１】図１１は実施形態の治具本体を分割した状態で示す正面図である。
【図１２】図１２は実施形態のパネル取付治具をアダプタを上下反転させた状態で示す示す図であって、図（ａ）は正面図、図（ｂ）は側面断面図である。
【図１３】図１３は２つのアダプタを装着したパネル取付治具を示す正面図である。
【図１４】図１４は実施形態のパネル取付治具を用いて施工された第１変形例のパネル壁構造を示す側面断面図である。
【図１５】図１５第１変形例のパネル壁構造におけるパネル取付治具周辺を拡大して示す側面断面図である。
【図１６】図１６は実施形態のパネル取付治具を用いて施工された第２変形例のパネル壁構造を示す側面断面図である。
【図１７】図１７は第２変形例のパネル壁構造におけるパネル取付治具周辺を拡大して示す側面断面図である。
【発明を実施するための形態】
【００２５】
図１はこの発明の実施形態であるパネル取付治具を用いて施工されたパネル壁構造を示す正面図、図２および図３はそのパネル壁構造の側面断面図である。これらの図に示すように、本実施形態のパネル壁構造においては、一般住宅における基準壁面としての室内の壁面（屋内壁面）Ｗに、帯板状の木質パネル１が、左右方向（水平方向）に沿って配置された状態で、上下方向に並列に複数並べて施工されている。
【００２６】
本実施形態では、木質パネル１によって壁面パネルが構成されるとともに、施工された多数の木質パネル１によって、壁面Ｗの前面側を覆うパネル壁構造が構成されている。
【００２７】
なお、本実施形態では、室内側から壁面Ｗに近づいていく方向を、後側方向（裏面側方向）とし、その逆方向、つまり壁面Ｗから遠ざかっていく方向を、前側方向（表面側方向）として説明する。
【００２８】
また図１〜図５に示すように、各木質パネル１は、その一側縁部２側が下方側に配置されるとともに、他側縁部３側が上方に配置されるように施工される。従って本実施形態においては、必要に応じて、木質パネル１の「一側縁部２」を「下側縁部２」と称し、「他側縁部３」を「上側縁部３」と称する。
【００２９】
さらに本実施形態において、隣り合う木質パネル１，１の対向縁部２，３は、上下に隣り合う木質パネル１，１のうち、上側の木質パネル１における一側縁部（下側縁部）２と、下側の木質パネル１における他側縁部（上側縁部）３によって構成されるものである。
【００３０】
また本実施形態では、上下方向がパネル配列方向に相当する。さらに後に説明するが、木質パネル１の長さ方向（左右方向）がパネル継ぎ合わせ方向に相当する。
【００３１】
以下、本実施形態についてさらに詳細に説明する。
【００３２】
壁面Ｗは、例えば間柱や胴縁の室内側に、多数の合板が面状に並べて貼り付けられるとともに、その合板上に、多数の石膏ボードが面状に並べて貼り付けられることによって構成されている。
【００３３】
木質パネル１は、所定の長さを有する帯板形状を有している。本実施形態において、木質パネル１は、木質系の材料によって構成されるものであり、無垢材はもちろん、複合材や集成材等によって形成されている。
【００３４】
図５Ａに示すように、木質パネル１の一側縁部（下側縁部）２は、その裏面側が切り欠かれることによって、表面側にカバー片２１が一側方（下方）に突出するように形成されている。カバー片２１の先端面には、パネル長さ方向に連続して延びる凹条部２２が形成されている。
【００３５】
さらに木質パネル１の一側縁部２には、カバー片２１よりも裏面側（壁面側）に、パネル長さ方向に連続して延びる切込溝２３が形成されている。
【００３６】
図５Ｂに示すように、木質パネル１の他側縁部（上側縁部）３は、その裏面側が切り欠かれることによって、表面側カバー片３１が他側方（上方）に突出するように形成されている。カバー片３１の先端面には、パネル長さ方向に連続して延びる突条部３２が形成されている。
【００３７】
さらに木質パネル１の一側縁部２には、カバー片２１よりも裏面側（壁面側）に、パネル長さ方向に連続して延びる切込溝３３が形成されている。
【００３８】
一方、図６〜図１０に示すように、パネル取付治具５は、壁面Ｗに固定される治具本体６と、治具本体６に着脱自在に取り付けられるアダプタ７とを備えている。
【００３９】
なお以下の説明においては、図８（ａ）に向かって上下方向を「上下方向」として説明し、左右方向（横方向）を「左右方向（横方向）」として説明する。さらに図８（ｂ）に向かって左側を「前方（表面側）」、右側を「後方（裏面側）」として説明する。なお、図９の治具本体６、図１０のアダプタ７においても同様である。
【００４０】
治具本体６は、正面視（図９（ａ）参照）において、長方形状を有しており、本実施形態では、長さ方向を横方向（水平方向）に一致させて壁面Ｗに固定するものである。本実施形態においては、治具本体６の両側縁部のうち、一方の側縁部が下側に配置されて下側縁部を構成し、残り一方（他方）の側縁部が上側に配置されて上側縁部を構成することになる。
【００４１】
治具本体６は、例えば硬質合成樹脂の一体成形品によって構成されている。この治具本体６の表面側には、長さ方向に連続して延び、かつ長さ方向の両端部が開放されたアダプタ取付溝６５が形成されている。アダプタ取付溝６５の上下両側壁の前端には、アダプタ取付溝６５の前面側（表面側）開口における上下両側部を閉塞する態様に突出する複数の抜け止め突片６６が形成されている。
【００４２】
さらにアダプタ取付溝６５の上下両側壁のうち下側壁、つまり下側縁部には、下方に向けて突出し、かつ治具本体６の長さ方向（横方向）に連続して延びる下部後位置支持片６２が形成されるとともに、上側壁、つまり上側縁部には、上方に向けて突出し、かつ治具本体６の長さ方向に連続して延びる上部後位置支持片６３が形成されている。各後位置支持片６２，６３は、木質パネル１の両側縁部２，３の切込溝２３，３３に挿入できて、パネル１を支持できるようになっている。
【００４３】
本実施形態において、後述するように、治具本体６を壁面Ｗに固定した状態では、両後位置支持片６２，６３は、壁面Ｗからの離間距離（離間寸法）が共に等しくなるようになっている。
【００４４】
なお本実施形態においては、下部後位置支持片６２および上部後位置支持片６３は、それぞれ支持片部材を構成するものである。
【００４５】
また治具本体６のアダプタ取付溝６５における底壁の上側部には、その底壁を貫通し、かつ長さ方向に所定の間隔おきに配置される３つのビス止め孔６７が形成されている。さらに治具本体６のアダプタ取付溝６５の底壁の下側部には、長さ方向に連続して延び、かつ薄肉状に形成された分割線部６８が形成されている。なお後に詳述するが、治具本体６は、この分割線部６８を境にして折り曲げるような力を加えると、図１１に示すように分割線部６８で分裂して、上部後位置支持片６３およびビス止め孔６７を含む第１分割体６ａと、下部後位置支持片６２を含む第２分割体６ｂとに分割できるようになっている。
【００４６】
本実施形態において、治具本体６は、下部後位置支持片６２および上部後位置支持片６３は、上下対称の形状となっており、上下を反転させて壁面Ｗに固定した状態であっても、両後位置支持片６２，６３を、木質パネル１の両側縁部２，３を支持することが可能となっている。
【００４７】
アダプタ７は、治具本体６と同様に硬質合成樹脂の一体成形品等によって構成されている。アダプタ７は、正面視において（図１０（ａ）参照）、矩形状のスライド板７５を備えている。このスライド板７５は、治具本体６のアダプタ取付溝６５にその両端開放部から挿入することにより、溝方向（横方向）に沿ってスライド自在に収容できるようになっている。さらにこの収容状態においては、治具本体６の抜け止め片６６，６６に係合することにより、前方への抜け出しが防止されるようになっている。
【００４８】
スライド板７５における左右方向（スライド方向）の中央部には、スライド板７５を貫通し、かつ上下に並んで配置される２つのビス止め孔７７が形成されている。
【００４９】
アダプタ７におけるスライド板７５の前面上縁部には、前方に向けて斜め上方に延び、かつ横方向に連続して形成される前方突出片７１が形成されている。この前方突出片７１には、上方に向けて突出し、かつ横方向に連続して延びる前位置支持片７２が形成されている。この前位置支持片７２は、木質パネル１の両側縁部２，３の切込溝２３，３３に挿入できて、パネル１を支持できるようになっている。
【００５０】
図６および図８に示すように、このアダプタ７において、前位置支持片７２が上方側に配置されるようにして、スライド板７５を治具本体６のアダプタ取付溝６５内に収容した際には、アダプタ７の前位置支持片７２が、治具本体６の上側縁部に対応する位置において、治具本体６の上部後位置支持片６３よりも前方（表面側）に配置されるようになっている。従ってこの状態で、後述するように、パネル取付治具５を壁面Ｗに固定した際には、アダプタ７の前位置支持片７２は、治具本体６の上部後位置支持片６３に対し壁面Ｗからの離間距離が長くなり、前方に配置されるようになっている。
【００５１】
また本実施形態においては、アダプタ７をその上下を反転させて治具本体６に取り付けることも可能である。すなわち図１２に示すように、このアダプタ７において、前位置支持片７２が下方側に配置されるようにして、スライド板７５を治具本体６のアダプタ取付溝６５内に収容した際には、アダプタ７の前位置支持片７２が、治具本体６の下側縁部に対応する位置において、治具本体６の下部後位置支持片６２よりも前方（表面側）に配置されるようになっている。この状態で、後述するように、パネル取付治具５を壁面Ｗに固定した際には、アダプタ７の前位置支持片７２は、治具本体６の下部後位置支持片６２に対し壁面Ｗからの離間距離が長くなり、前方に配置されるようになっている。
【００５２】
さらに本実施形態においては、アダプタ７を治具本体６のアダプタ取付溝６５に収容した状態では、アダプタ７をスライド操作することによって、アダプタ７の上側に配置されるビス止め孔７７を、治具本体６の３つのビス止め孔６７のいずれにも対応させることができるようになっている。なお、アダプタ７は、図８に示すようにパネル支持片７２を上側に配置した状態でも、図１２に示すようにパネル支持片７２を下側に配置した状態でも、上下のビス止め孔７７のうち、上側に配置されるビス止め孔７７が、治具本体６のビス止め孔６７に対応するようになっている。
【００５３】
ここで本実施形態においては、図８に示すようにアダプタ７をその前位置支持片７２を上方に向けて治具本体５に取り付ける取付形態と、図１２に示すようにアダプタ７をその前位置支持片７２を下方に向けて治具本体５に取り付ける取付形態とのいずれか一方の取付形態が、第１の取付形態として構成されるとともに、残り一方の取付形態が、第２の取付形態として構成されるものである。
【００５４】
本実施形態では、上記構成のパネル取付治具５を用いて、木質パネル１をその長さ方向を横方向にして、上下方向に複数並べるように壁面Ｗに施工するものである。
【００５５】
この場合、例えば図２および図３に示すように、各木質パネル１を斜め上向きに配置されるように下見貼りで施工したパネル壁構造、図１４および図１５に示すように各木質パネル１が同一平面上に配置されるようにフラット貼りで施工したパネル壁構造、図１６および図１７に示すようにいずれかの木質パネル１を前方に張り出すように凹凸貼りで施工したパネル壁構造等、多くの種類のパネル壁構造を構築することができる。
【００５６】
まず図２に示すように下見貼り施工について説明する。なお言うまでもなく、本発明において施工手順は以下の実施形態のものに限定されるものではなく、どのような手順で施工しても良い。
【００５７】
例えば下側から順に下見貼り施工を行う場合には、壁面Ｗにおけるパネル貼付予定領域の下端縁に対応する位置に、上記パネル取付治具５を横方向に所定間隔おきに複数取り付ける。
【００５８】
この場合図８に示すように、各パネル取付治具５において、治具本体６のアダプタ取付溝６５に、アダプタ７をその前位置支持片７２が上側に配置されるようにして収容する。さらにアダプタ７を治具本体６に対し横方向の中間位置に配置させて、アダプタ７の上側のビス止め孔７７を治具本体６の中央のビス止め孔６７に対応させて配置する。その状態で、両ビス止め孔７７，６７にビス８を挿入して壁面Ｗにねじ込んで、パネル取付治具５を壁面Ｗに固定する。
【００５９】
こうして壁面Ｗにおけるパネル貼付予定領域の下端縁に沿って、複数のパネル取付治具５を所定間隔おきに固定する。
【００６０】
次に、最下端に配置される木質パネル１の下側縁部２における切込溝２３内に、上記各パネル取付治具５におけるアダプタ７の前位置支持片７２を挿入することによって、木質パネル１を各パネル取付治具５に支持させる。
【００６１】
続いて、最下端の木質パネル１の上側縁部３をパネル取付治具５によって支持する。すなわち、上記同様に、治具本体６のアダプタ取付溝６５にアダプタ７をそのパネル支持片７２が上側に配置されるようにして収容したパネル取付治具５を、その治具本体６における下部後位置支持片６２を、最下端の木質パネル１の上側縁部３における切込溝３３内に挿入した状態に配置する。その状態で、パネル取付治具５のビス止め孔７７，６７にビス８を挿入して壁面Ｗにねじ込む。
【００６２】
こうして最下端の木質パネル１の上側縁部３を、複数のパネル取付治具５を介して壁面Ｗに固定する。
【００６３】
この取付状態においては、木質パネル１の下側縁部２は、パネル取付治具５におけるアダプタ７の前位置支持片７２に支持されるとともに、上側縁部３は、治具本体６の下部後位置支持片６２に支持されている。既述したようにアダプタ７の前位置支持片７２は、治具本体６の後位置支持片６２，６３よりも前方に配置され、壁面Ｗからの離間距離が長くなっている。従って、木質パネル１は、下側縁部２が上側縁部３よりも壁面Ｗから大きく離間するように、斜め上向き（下見貼り）の形態に配置される。
【００６４】
次に、最下端の木質パネル１の上側縁部３を支持しているパネル取付治具５におけるアダプタ７の前位置支持片７２を、下から２番目に配置する木質パネル１の下側縁部２における切込溝２３内に挿入することにより、２番目の木質パネル１の下側縁部２をパネル取付治具５を介して壁面Ｗに固定する。なおこの取付状態においては、パネル取付治具５の下部後位置支持片６２は、使用しないものである。
【００６５】
さらに２番目の木質パネル１の上側縁部３を、上記の最下端の木質パネル１と同様に、パネル取付治具５を介して壁面Ｗに固定する。
【００６６】
以下同様にして、下から順に木質パネル１をパネル取付治具５を介して壁面Ｗに固定していき、パネル貼付予定領域の全域に、所要枚数の木質パネル１を貼り付ける。これにより、壁面Ｗ上に複数の木質パネル１が貼り付けられたパネル壁構造が構築される。
【００６７】
なお、最上端の木質パネル１の上側縁部３を固定するための最上端固定手段は、パネル取付治具５の一部のみによって構成しても良い。
【００６８】
すなわち最上端固定手段としては、図１１に示すように治具本体６を、分割線部６８で折り曲げて第１および第２分割体６ａ，６ｂに分割し、その２つの分割体６ａ，６ｂのうち、ビス止め孔６７を有する第１分割体６ａを使用するものである。なお最上端固定手段としては、第２分割体６ｂや、アダプタ７は使用しない。
【００６９】
この第１分割体６ａを図１１に示す状態に対し上下を反転させて、つまり同図の状態では上側に配置されている後位置支持片６３を下向きに配置しておき、その下向きの他方側パネル支持片６３を、最上端の木質パネル１の上側縁部３の切込溝３３に挿入する。さらにその状態で、第１分割体６ａをそのビス止め孔６７にビス８を挿通して壁面Ｗにねじ込むことにより、最上端の木質パネル１の上側縁部３を第１分割体６ａを介して壁面Ｗに固定する。
【００７０】
このように最上端の木質パネル１の上側縁部３を、パネル取付治具５で固定する際に、そのパネル取付治具５のうち不要な部位、つまりアダプタ７および第２分割体６ｂを除去することによって、当該不要な部位がパネル壁の上端縁から突出するのを防止することができる。このため、不要な部位が目視されることによる美観の低下を防止でき、良好な美観を得ることができる。
【００７１】
また本実施形態においては、最下端の木質パネル１の下側縁部３を壁面Ｗに固定する場合、治具本体６のうち、第２分割体６ｂを用いずに、第１分割体６ａとアダプタ７とを用いて固定するようにしても良い。この場合においても、上記と同様に、不要な部位である第２分割体６ｂを除去することにより、その不要な部位が目視されることがなく、良好な美観を得ることができる。
【００７２】
また本実施形態において、複数の木質パネル１を横方向（パネル長さ方向）に継ぎ合わせて取り付ける場合には、その横方向であるパネル継ぎ合わせ方向に隣り合う木質パネル１，１の互いの対向端部を、実質的に１つのパネル取付治具５によって壁面Ｗに固定することができる。
【００７３】
すなわち図１３に示すように、横方向に隣り合う木質パネル１，１における対向端部１ａ，１ａの下側縁部２，２を支持する場合には、１つの治具本体６に対し２つのアダプタ７，７を収容しておく。このとき、アダプタ７，７の各ビス止め孔７７，７７を治具本体６の両側のビス止め孔６７，６７にそれぞれ対応させておく。そして隣り合う木質パネル１，１のうち一方の木質パネル１の対向端部１ａの下側縁部２を、２つのアダプタ７，７のうち一方のアダプタ７の前位置支持片７２によって支持させるとともに、他方の木質パネル１の対向端部１ａの下側縁部２を、他方のアダプタ７の前位置支持片７２によって支持させるようにして、両アダプタ７，７のビス孔７７，７７および治具本体６の両側のビス止め孔６７，６７にビス８，８を挿通して壁面Ｗにねじ込んで固定する。
【００７４】
なお、横方向に隣り合う木質パネル１，１における対向端部１ａ，１ａの上側縁部３，３を支持する場合には、一方の対向端部１ａの上側縁部３を、パネル取付治具５の治具本体６における下部後位置支持片６２の一方側半分によって支持させるともに、他方の対向端部１ａの上側縁部３を、下部後位置支持片６２の他方側半分によって支持させるようにする。
【００７５】
このように横方向に継ぎ合わせて木質パネル１を取り付ける場合、隣り合う木質パネル１，１の対向端部１ａ，１ａを、実質的に１つのパネル取付治具５によって壁面Ｗに固定することができる。
【００７６】
上記図２に示すパネル壁構造では、各木質パネル１を斜め上向きに配置した下見貼りの形態に施工しているが、本実施形態においては、各木質パネル１を斜め下向きに配置した形態（下見貼りに対し逆の形態）に施工することもできる。
【００７７】
この場合には、パネル取付治具５を図１２に示す形態とする。すなわちパネル取付治具５における治具本体６のアダプタ取付溝６５に、アダプタ７をその前位置支持片７２が下側に配置されるようにして収容しておく。そして上下に隣り合う木質パネル１，１のうち上側に配置される木質パネル１の下側縁部２を、パネル取付治具５における治具本体６の上部後位置支持片６３によって支持させるとともに、下側に配置される木質パネル１の上側縁部３を、パネル取付治具５におけるアダプタ７の前位置支持片７２によって支持させる。これにより、各木質パネル１を斜め下向きに配置したパネル壁を構築することができる。なおこの形態においては、治具本体６の下部後支持片６２は使用しないものである。
【００７８】
またこの形態において、各パネル取付治具５は、図１２に示す形態としているが、それだけに限られず、図８に示す形態のパネル取付治具５全体を、上下に反転させて壁面Ｗに固定することにより、上記と同様な形態（下見貼りとは逆の形態）に施工することができる。
【００７９】
さらにパネルを斜め下向き（下見貼りとは逆の形態）に施工する場合でも、最下端や最上端に配置されるパネル取付治具５は、必要に応じて、分割体６ｂやアダプタ７等を取り除いて固定するようにしても良い。
【００８０】
一方、本実施形態においては、各木質パネル１を壁面Ｗと平行にしてフラット貼りの形態に施工することもできる。
【００８１】
この場合には図１４および図１５に示すように、パネル取付治具５として、アダプタ７を使用せず、治具本体６のみを使用する。すなわち上下に隣り合う木質パネル１，１のうち上側に配置される木質パネル１の下側縁部２を、治具本体６の上部後位置支持片６３によって支持させるとともに、下側に配置される木質パネル１の上側縁部３を、治具本体６の下部後位置支持片６２によって支持させるようにする。これにより、各木質パネル１が同一平面上に配置されたフラットなパネル壁面が形成される。
【００８２】
このように隣り合う木質パネル１，１が壁面Ｗに対し共に平行に配置される場合には、上側の木質パネル１の下側縁部２における凹条部２２内に、下側の木質パネル１の上側縁部３における突条部３２が配置される（図１５参照）。これにより隣り合う木質パネル１，１間に隙間が形成されないようになっている。
【００８３】
なお本実施形態において、フラット貼りの形態であっても、各木質パネル１は、壁面Ｗに対し接触しておらず、少し離間している。
【００８４】
本実施形態においては、施工される複数の木質パネル１のうち、いずれかの木質パネル１を他の木質パネル１に対し、前方に浮き上がらせるような凹凸貼りの形態に施工することもできる。
【００８５】
この場合には図１６および図１７に示すように、前方に浮き上がらせない他の木質パネル１は、上記フラット貼り形態（図１４および図１５参照）と同様に壁面Ｗに固定するものである。また前方に浮き上がらせる木質パネル１の下側縁部２を支持するパネル取付治具５は、治具本体６のアダプタ取付溝６５に、アダプタ７をその前位置支持片７２が上側に配置されるように収容しておく（図８参照）。そしてそのパネル取付治具５における前位置支持片７２によって、木質パネル１の下側縁部２を支持させるようにする。さらに前方に浮き上がらせる木質パネル１の上側縁部３を支持するパネル取付治具５は、治具本体６のアダプタ取付溝６５に、アダプタ７をその前位置支持片７２が下側に配置されるように収容しておく（図１２参照）。そしてそのパネル取付治具５における前位置支持片７２によって、木質パネル１の上側縁部３を支持させるようにする。なお、凹凸貼り形態において、前方に浮き上がった木質パネル１の上側縁部１６を支持するパネル取付治具５を図１２に示す形態としているが、それだけに限られず、図８に示す形態のパネル取付治具５全体を、上下に反転させて壁面Ｗに固定することにより、上記と同様な凹凸貼りの形態に施工することができる。
【００８６】
これにより、所定の木質パネル１の上下両側縁部２，３が、パネル取付治具５，５におけるアダプタ７，７の前位置支持片７２，７２に支持されることにより、当該木質パネル１が、壁面Ｗに対し平行に配置され、かつ治具本体６の後位置支持片６２，６３に支持された他の木質パネル１に対し、前方に浮き上がった状態に配置される。
【００８７】
なお、このようい凹凸貼りの形態で施工する場合、１つおき毎に木質パネル１を浮き上がらせたり、２つおき毎に木質パネル１を浮き上がらせたり、３つ以上おきに木質パネル１を浮き上がらせるように、規則的な凹凸形状を形成するようにしても良いし、不規則的に木質パネル１を適宜浮き上がらせるようにしても良い。さらに上下に連続する２つ以上の木質パネル１をまとめて浮き上がらせるようにしても良い。
【００８８】
なお上下に隣り合う木質パネル１，１を共に浮き上がらせる場合には、そのパネル１，１間に配置されるパネル取付治具５としては、例えば１つの治具本体６にアダプタ７を２つ取り付け、一方のアダプタ７をその前位置支持片７２を上方に配置するとともに、他方のアダプタ５をその前位置支持片７２を下方に配置しておく。そして一方のアダプタ７の前位置支持片７２に上側の木質パネル１の下縁部２を支持させるとともに、他方のアダプタ７の前位置支持片７２に下側の木質パネル１の上側縁３を支持させるようにすれば良い。あるいは、木質パネル１，１間に、図８に示す形態のパネル取付治具５と、図１２に示すパネル取付治具５とを交互に配置しておき、図８のパネル取付治具５の前位置支持片７２に上側の木質パネル１の下縁部２を支持させるとともに、図１２のパネル取付治具５の前位置支持片７２に下側の木質パネル１の上側縁３を支持させるようにすれば良い。
【００８９】
また横方向に木質パネル１を複数継ぎ合わせて施工する場合には、横方向に並ぶいずれかの木質パネル１を浮き上がらせても良いし、横方向に並ぶ全ての木質パネル１を浮き上がらせるようにしても良い。
【００９０】
以上のように本実施形態のパネル壁構造によれば、下見貼り形態、下見貼りに対し逆の形態、フラット貼り形態、規則的な凹凸貼り形態、不規則的な凹凸貼り形態等の多種多様な形態で、木質パネル１を壁面Ｗに取り付けることができ、室内の状況や居住者の好みに応じた形態で木質パネル１を取り付けることができる。
【００９１】
また上記実施形態においては、アダプタ７を取り付けずに治具本体６だけを用いれば、フラット貼りで施工することができるため、フラット貼り専用のパネル取付手段（パネル取付治具）を別途準備する必要がなく、部材の兼用による部品点数およびコストの削減を図ることができる。
【００９２】
なお、上記実施形態においては、木質パネル１をその長さ方向を横方向（水平方向）に一致させて、上下方向に並べて施工する場合を例に挙げて説明したが、それだけに限られず、本発明においては、木質パネル１をその長さ方向を縦方向（垂直方向）に一致させて、左右方向（水平方向）に並べて施工するようにしても良い。さらに木質パネル１をその長さ方向を垂直方向または水平方向に対し傾斜する方向に一致させるように施工するようにしても良い。
【００９３】
また上記実施形態においては、木質パネル１として、帯板形状ないし長板形状のものを使用しているが、それだけに限られず、本発明においては、正方形状の木質パネルを取り付けることも可能である。
【００９４】
また上記実施形態においては、治具本体６やアダプタ７等のパネル取付治具５を硬質合成樹脂の一体成形品によって構成しているが、本発明においてこれらの部材の素材は、特に限定されるものではなく、金属の加工品等によって構成するようにしても良い。
【産業上の利用可能性】
【００９５】
この発明のパネル取付治具は、屋内の壁面に沿って並べて配置される複数の木質パネル等の壁面パネルを屋内壁面に固定する際に用いることができる。
【符号の説明】
【００９６】
１：木質パネル（壁面パネル）
２：下側縁部（対向端縁）
３：上側縁部（対向端縁）
５：パネル取付治具
６：治具本体
６ａ,６ｂ：分割体
６２：下部後位置支持片
６３：上部後位置支持片
７：アダプタ
７２：前位置支持片
Ｗ：壁面（屋内壁面）
【図１】
2014122501.tif 000003
【図２】
2014122501.tif 000004
【図３】
2014122501.tif 000005
【図４】
2014122501.tif 000006
【図５Ａ】
2014122501.tif 000007
【図５Ｂ】
2014122501.tif 000008
【図６】
2014122501.tif 000009
【図７】
2014122501.tif 000010
【図８】
2014122501.tif 000011
【図９】
2014122501.tif 000012
【図１０】
2014122501.tif 000013
【図１１】
2014122501.tif 000014
【図１２】
2014122501.tif 000015
【図１３】
2014122501.tif 000016
【図１４】
2014122501.tif 000017
【図１５】
2014122501.tif 000018
【図１６】
2014122501.tif 000019
【図１７】
2014122501.tif 000020